(57)【要約】【課題】床面上に載置されて使用される照明器具において、コネクタ等の部品を必要とすることなく、組立ての際の電源線の捩れを防止できる。【解決手段】照明器具１は、床面上に載置されて器具を立脚するベース部２と、光源であるランプ３１を有する灯具部３と、ベース部２及び灯具部３を分離且つ接続可能とした中間体４と、ベース部２から導出されて中間体４の内部を経由して灯具部３へ接続される電源線５とを備える。中間体４の分離且つ接続可能とした箇所のうち、少なくとも１箇所は、互いに嵌合状態で空回り可能とされ、他の箇所は、互いにねじ込んで固定される。照明器具１の組立ては、中間体４と灯具部３とを空回りさせながら、中間体４とベース部２とをねじ込むことにより行われる。これにより、電源線５が捩じれることなく、ベース部２、灯具部３、及び中間体４が接続される。【選択図】図２
2005183299.tif 000002
【特許請求の範囲】
【請求項１】
床面上に載置されて器具を立脚するベース部と、光源を有する灯具部と、前記ベース部と前記灯具部との間に設けられ前記ベース部及び前記灯具部を分離且つ接続可能とした柱状の中間体と、前記ベース部から導出されて前記中間体内を経由して前記灯具部へ接続される電源線とを備えた照明器具において、
前記中間体の分離且つ接続可能とした箇所のうち、少なくとも１箇所は、互いに嵌合状態で空回り可能とされ、他の箇所は、互いにねじ込んで固定されることを特徴とする照明器具。
【発明の詳細な説明】
【技術分野】
【０００１】
本発明は、照明器具に関するものである。
【背景技術】
【０００２】
従来から、居室内の床面上に載置されて使用される照明器具は、完成品に組立てた状態にしての出荷では梱包才数が大きくなるため、完成品に組立てる前の状態にて梱包して出荷し、現場にて完成品に組立てできるようにした構成のものがある。
【０００３】
この種の照明器具は、図４、図５（ａ）（ｂ）（ｃ）（ｄ）（ｅ）に示す構成のものが知られている。照明器具７０は、床面上に載置されて照明器具７０を立脚するベース部７１と、ランプ７２を有する灯具部７３と、ベース部７１と灯具部７３との間に設けられる中間体７４と、ランプ７２に電力を供給する電源線７５およびリード線８４とを主要構成部品として備えており、ベース部７１、灯具部７３、及び中間体７４が、各々分離且つ接続可能な構成となっている。
【０００４】
ベース部７１と中間体７４とが分離且つ接続される箇所はネジになっており、ベース部７１と中間体７４とは、相互にねじ込むことにより、接続されて固定されるようになっている。また、灯具部７３と中間体７４とが分離且つ接続される箇所もネジになっており、灯具部７３と中間体７４とは、相互にねじ込むことにより、接続されて固定されるようになっている。
【０００５】
灯具部７３は、セード８１がアーム８２の先端部に取付けられ、ランプ７２がアーム８２の先端部のソケット８３に接続保持される構成になっている。リード線８４の一端側がソケット８３に接続されており、組立前の状態では、リード線８４の他端側がアーム８２及び中間体７４の内部を通って中間体７４から導出されている（図５（ａ）参照）。リード線８４の他端側には、電源線７５と接続されるコネクタ８５が設けられている。
【０００６】
電源線７５は、一端側がベース部７１から導出されており、他端側がベース部７１の内部に配置されている。電源線７５の他端側には、リード線８４のコネクタ８５と接続されるコネクタ８６が設けられている。ベース部７１は、コネクタ８５とコネクタ８６との接続を保護するコードカバー８８が着脱されるようになっている。
【０００７】
照明器具７０の組立ては、以下の方法で行われる。まず、灯具部７３のアーム８２と中間体７４とを相互にねじ込むことにより接続し固定する（図５（ａ）参照）。次に、ベース部７１からコードカバー８８を取外し（図５（ｂ）参照）、リード線８４の他端側のコネクタ８５を、ベース部７１の中間体７３との接続のために設けられている開口部８９を通して、ベース部７１の内部に入れる（図５（ｃ）参照）。
【０００８】
続いて、アーム８２が接続された中間体７４とベース部７２とを相互にねじ込むことにより接続し固定する（図５（ｄ）参照）。そして、リード線８４のコネクタ８５と電源線７５のコネクタ８６とを接続し、コードカバー８８をベース部７１に取付ける（図５（ｅ）参照）。その後、セード８１をアーム８２に取付けると共に、ランプ７２をソケット８３に取付けて（図５（ａ）参照）、組立てが完了する。これにより、照明器具７０が完成する（図４参照）。
【０００９】
また、同種の照明器具として、図６、図７（ａ）（ｂ）に示す構成のものも知られている。照明器具９０は、ベース部７１と、灯具部７３と、複数の中間体７４と、電源線７５とを主要構成部品として備えており、ベース部７１、灯具部７３、及び複数の中間体７４が、各々分離且つ接続可能な構成となっている。
【００１０】
複数の中間体７４同士が分離且つ接続される箇所は、ネジになっており、複数の中間体７４同士は、相互にねじ込むことにより、接続されて固定されるようになっている。電源線７５は、一端側がソケット８３に接続されており、組立前の状態では、他端側がアーム８２及び複数の中間体７４の内部を通って中間体７４から導出されている（図７（ａ）参照）。照明器具９０の他の構成は、上記の照明器具７０の構成と同様である。
【００１１】
照明器具９０の組立ては、以下の方法で行われる。まず、灯具部７３のアーム８２と複数の中間体７４とを各々相互にねじ込むことにより接続し固定する（図７（ａ）参照）。次に、電源線７５の他端側をベース部７１の開口部８９を通してベース部７１の内部に入れ、アーム８２が接続された中間体７４とベース部７２とを相互にねじ込むことにより接続し固定して、電源線７５の他端側を電源線７５の捩れを修正しながらベース部７１の開口部９１から引き出す（図７（ｂ）参照）。その後、セード８１をアーム８２に取付けると共に、ランプ７２をソケット８３に取付けて（図７（ａ）参照）、組立てが完了する。これにより、照明器具９０が完成する（図６参照）。
【００１２】
また、角状部と円弧状部とを有する方円形状の断面を成す第１の中間体をベース部上に立設し、矩形状の断面を成す第２の中間体を第１の中間体の角状部に挿入した構成により、第２の中間体を第１の中間体に対して上下方向に摺動可能であるが水平面内に回転不可能に接続したものが知られている（例えば、特許文献１参照）。
【特許文献１】特開平８−１７２１４号公報
【発明の開示】
【発明が解決しようとする課題】
【００１３】
ところで、上述した従来の図４、図５（ａ）（ｂ）（ｃ）（ｄ）（ｅ）に示す照明器具７０においては、リード線８４の他端側（コネクタ８５が設けられている側）は、フリーになっており、中間体７４とベース部７２とを接続した後に、電源線７５に接続するようになっている。従って、中間体７４とベース部７２とを接続した後にリード線８４と電源線７５とを接続することにより、照明器具９０の組立ての際に、リード線８４や電源線７５に捩れが生じることがない。しかしながら、このような構成の照明器具７０では、リード線８４と電源線７５とを接続するためのコネクタ８５とコネクタ８６が必要となる。
【００１４】
一方、図６、図７（ａ）（ｂ）に示す照明器具９０においては、電源線７５が直接ソケット８３に接続されているため、電源線７５を接続するためのコネクタ等の部品が不要である。しかしながら、このような構成の照明器具９０では、中間体７４とベース部７２とを接続する際に、電源線７５をベース部７１の内部に入れ、電源線７５の捩れを修正しながら中間体７４をベース部７２にねじ込む必要があり、また、中間体７４とベース部７２とを接続した後にも、電源線７５の捩れを修正しながら電源線を７５をベース部７１から引き出す必要がある。このため、照明器具９０の組立作業が煩雑なものとなる。
【００１５】
また、特許文献１に記載の照明器具においては、第２の中間体が第１の中間体に対して回転不可能に接続されているため、第１の中間体内から第２の中間体内に案内される電源線に捩れが生じることがない。しかしながら、この特許文献１に記載の照明器具では、電源線が中間体内を経由してベース部から引き出される構成にはなっておらず、第１の中間体内に配置されるコンセントに接続される構成となっているため、コンセントが必要であると共にコンセントを第１の中間体内に配置するための構造が必要となり、構成が複雑化すると共に高コストになる。
【００１６】
本発明は、上記課題を解決するためになされたものであり、コネクタ等の部品を必要とすることなく、また、簡素で低コストの構成により、電源線の捩れが生じないように組立てできる照明器具を提供することを目的とする。
【課題を解決するための手段】
【００１７】
上記目的を達成するために請求項１の発明は、床面上に載置されて器具を立脚するベース部と、光源を有する灯具部と、ベース部と灯具部との間に設けられベース部及び灯具部を分離且つ接続可能とした柱状の中間体と、ベース部から導出されて中間体内を経由して灯具部へ接続される電源線とを備えた照明器具において、中間体の分離且つ接続可能とした箇所のうち、少なくとも１箇所は、互いに嵌合状態で空回り可能とされ、他の箇所は、互いにねじ込んで固定されるものである。
【発明の効果】
【００１８】
請求項１の発明によれば、中間体の分離且つ接続可能な箇所のうち、少なくとも１箇所を空回りさせながら他の箇所をねじ込むことにより、電源線の捩じれを生じることなくベース部、灯具部、及び中間体を接続することが可能となる。従って、電源線を分割したりコネクタ等の部品を使用することなく、簡素で低コストの構成により、電源線の捩れが生じない容易な組立てを実現することができる。また、これにより梱包才数の低減を簡易な構造で実現することができる。
【発明を実施するための最良の形態】
【００１９】
以下、本発明を具体化した実施形態について図面を参照して説明する。図１、図２、及び図３（ａ）（ｂ）（ｃ）において、照明器具１は、住宅等の居室内を照明する器具であり、居室内の床面上に載置して使用されるものである。照明器具１は、ベース部２と、灯具部３と、中間体４と、電源線５とを備えており、ベース部２、灯具部３、及び中間体４が各々分離且つ接続可能な構成となっている。
【００２０】
ベース部２は、床面上に載置されて照明器具１を立脚するものであり、金属製版材を加工して重りを設けた下ベース２１及び上ベース２２と、真鍮製の雌ねじ部２３とを有している。下ベース２１及び上ベース２２は、電源線５が収納される空間を形成している。下ベース２１は、その周面に、電源線５が挿通される挿通口２４を有し、上ベース２２は、その上面の略中央に、電源線５が挿通される挿通口２５を有している。雌ねじ部２３は、ベース部２と中間体４とを接続且つ分離するためのものであり、上ベース２２の上面の略中央に設けられている。また、雌ねじ部２３は、電源線５が挿通される役割も担っており、雌ねじ部２３の孔は、上ベース２２の挿通口２５と繋がっている。
【００２１】
灯具部３は、光源である白熱ランプ３１と、ソケット３２と、ガラス製のセード３３と、金属製版材を加工したセード押さえ３４と、鋼管製のアーム３５とを有している。白熱ランプ３１は、照明するための光を放射するものであり、ソケット３２に接続保持される。セード３３は、白熱ランプ３１からの放射光を透過、反射させるものであり、白熱ランプ３１の保護、照明光の方向や波長の制御、及び装飾のために設けられている。ソケット３２及びセード３３は、セード押さえ３４に支持されており、セード押さえ３４は、アーム３５に取付けられている。
【００２２】
アーム３５は、差込穴３６と、タップ孔３７とを有している。差込穴３６及びタップ孔３７は、灯具部３と中間体４とを接続且つ分離するためのものでる。差込穴３６は、アーム３５の下端部の先端に軸心に沿って形成されており、差込穴３６の内周面は円周面になっている。タップ孔３７は、アーム３５の下端部の周面に形成されており、差込穴３６に繋がっている。タップ孔３７は、灯具部３と中間体４とを接続且つ分離するための止めねじ６０が螺合されるようになっている。
【００２３】
中間体４は、ベース部２と灯具部３との間に設けられて、ベース部２及び灯具部３を分離且つ接続するものであり、柱状をした鋼管製のパイプにより構成されている。中間体４は、雄ねじ部４１と、差込部４２とを有している。雄ねじ部４１は、中間体３とベース部２とを接続且つ分離するためのものであり、中間体４の下端部に形成されており、ベース部２の雌ねじ部２３と螺合可能になっている。差込部４２は、中間体４と灯具部３とを接続且つ分離するためのものであり、中間体４の上端部に形成されており、灯具部３のアーム３５の差込穴３６に差込み可能になっている。差込部４２の外周面は円周面になっており、差込部４２の外周面には、円周状の溝部４５が形成されている。溝部４５は、差込部４２をアーム３５の差込穴３６に差込んだときに、アーム３５のタップ孔３７と位置が合うようになっている。
【００２４】
電源線５は、白熱ランプ３１に電力を供給するものである。電源線５の一端側は、ベース部２の内部から、上ベース２２の挿通口２５と雌ねじ部２３、中間体４の内部、及び灯具部３のアーム３５の内部を通って、灯具部３のソケット３２に接続されている。電源線５の他端側は、ベース部２の内部から、下ベース２１の挿通口２４を通して導出されている。
【００２５】
上記ベース部２と中間体４との接続は、中間体４の雄ねじ部４１をベース２の雌ねじ部２３にねじ込んで螺合することにより行われる。中間体４の雄ねじ部４１をベース部２の雌ねじ部２３にねじ込んで螺合することにより、中間体４が雌ねじ部２３に接続されて固定され、これにより、ベース部２と中間体４とが接続されると共に固定される。ベース部２と中間体４との分離は、中間体４の雄ねじ部４１をベース２の雌ねじ部２３から緩めて、中間体４をベース部２から抜き取ることにより行われる。すなわち、ベース部２と中間体４との接続箇所は、互いにねじ込んで固定される構成になっている。
【００２６】
上記灯具部３と中間体４との接続は、図３（ａ）（ｂ）（ｃ）に示すように、中間体４の差込部４２を灯具部３のアーム３５の差込穴３６に差込み、止めねじ６０をタップ孔３７に螺合して締め込むことにより行われる。中間体４の差込部４２をアーム３５の差込穴３６に差込んだ嵌合状態（図３（ｂ）参照）では、差込部４２の外周面及び差込穴３６の内周面が円周面であることにより、中間体４とアーム３５とが中間体４及びアーム３５を軸心として相互に空回り可能とされる。すなわち、灯具部３と中間体４との接続箇所は、互いに嵌合状態で空回り可能とされる構成になっている。
【００２７】
差込部４２を差込穴３６に差込んだ嵌合状態（すなわち中間体４とアーム３５が相互に空回り可能な状態）で、止めねじ６０をタップ孔３７に螺合して締め込む（図３（ｃ）参照）ことにより、中間体４の差込部４２の外周面の溝部４５内に止めねじ６０の先端が押し付けられ、これにより、中間体４とアーム３５は、相互に空回りしない状態に、かつ相互に分離されない状態に固定される。また、灯具部３と中間体４との分離は、止めねじ６０を緩めて、中間体４をアーム３５から抜き取ることにより行われる。
【００２８】
このような構成の照明器具１は、組立前の状態で梱包されて出荷され、設置場所にて組立てられて完成品とされる。照明器具１は、組立前の状態では、図２に示すように、ベース部２、灯具部３、及び中間体４が各々分離され、電源線５がベース部２の挿通口２４、挿通口２５、雌ねじ部２３、中間体４の内部、及び灯具部３のアーム３５の内部を通ってソケット３２に接続されている。照明器具１は、この状態で梱包されて出荷される。
【００２９】
次に、上記照明器具１の組立方法について説明する。まず、中間体４の差込部４２を灯具部３のアーム３５の差込穴３６に差込むことにより、中間体４とアーム３５とを相互に空回り可能に接続して仮固定する。次に、梱包のために伸ばされていた余分な電源線５を、ベース部２の雌ねじ部２３及び挿通口２５からベース部２の内部に押し込んで収納する。
【００３０】
続いて、中間体４の雄ねじ部４１をベース部２の雌ねじ部２３にねじ込むことにより、中間体４とベース部２とを接続して固定する。このとき、アーム３５とベース部２とは相互に回転しないようにし、中間体４をアーム３５に対して空回りさせながら、中間体４をベース部２に対して回転させてねじ込む。これにより、電源線５が捩じれることなく、ベース部２、アーム３５、及び中間体４が接続された状態になる。この接続状態では、ベース部２と中間体４とは相互に回転しないように固定されており、アーム３５と中間体４とは相互に空回り可能に仮固定されている。
【００３１】
最後に、止めねじ６０をアーム３５のタップ孔３７に螺合して締め込むことにより、中間体４とアーム３５とを相互に空回りしないように固定する。止めねじ６０をタップ孔３７に締め込むと、中間体４の差込部４２の外周面の溝部４５内に止めねじ６０の先端が押し付けられて、中間体４とアーム３５が相互に空回りしない状態にかつ相互に分離されない様態に固定される。これにより、照明器具１が完成する。
【００３２】
このように、上記構成の照明器具１によれば、灯具部３と中間体４との接続箇所が互いに嵌合状態で空回り可能とされ、ベース部２と中間体４との接続箇所が互いにねじ込んで固定される構成であるため、中間体４を灯具部３に対して空回りさせながら中間体４をベース部２にねじ込むことにより、電源線５の捩じれを生じることなくベース部２、アーム３５、及び中間体４を接続することができる。従って、電源線５を分割したりコネクタ等の部品を使用することなく、電源線５の捩れが生じない容易な組立てを実現することができる。また、これにより梱包才数の低減を簡易な構造で実現することができる。
【００３３】
なお、本発明は、上記各実施形態の構成に限られず、種々の変形が可能である。例えば、上記各実施形態において、中間体４をベース部２にねじ込んで接続、固定してから、中間体４と灯具部３とを接続、固定してもよい。このような組立方法によっても、電源線５の捩じれを生じることなくベース部２、灯具部３、及び中間体４を接続することができる。
【００３４】
また、ベース部２と中間体４との接続箇所が互いに嵌合状態で空回り可能とされ、灯具部３と中間体４との接続箇所が互いにねじ込んで固定される構成であってもよく、また、ベース部２と中間体４との接続箇所、及び灯具部３と中間体４との接続箇所の両方とも互いに嵌合状態で空回り可能とされる構成であってもよい。さらに、中間体４が２本以上接続される構成であってもよい。この場合、ベース部２と中間体４との接続箇所、及び灯具部３と中間体４との接続箇所の両方とも互いにねじ込んで固定され、中間体４同士の接続箇所が互いに嵌合状態で空回り可能とされる構成であってもよい。
【００３５】
また、ランプ３１のソケット３２への取付けは、出荷前に行ってもよく、また、出荷後に照明器具１の設置場所にて行ってもよい。セード３３は、セード押さえ３４に着脱可能な構成であってもよい。この場合、セード３３のセード押さえ３４への取付けは、出荷前に行ってもよく、また、出荷後に照明器具１の設置場所にて行ってもよい。
【図面の簡単な説明】
【００３６】
【図１】本発明の一実施形態に係る照明器具の構成を示す組立後の一部破断した側面図。
【図２】同照明器具の構成を示す組立前の一部破断した側面図。
【図３】（ａ）は同照明器具の灯具部と中間体との接続構造を示す接続前の断面図、（ｂ）は同空回り可能に接続した状態の断面図、（ｃ）は同空周りしないように固定した状態の断面図。
【図４】従来の照明器具の構成を示す組立後の一部破断した側面図。
【図５】（ａ）（ｂ）（ｃ）（ｄ）（ｅ）は同照明器具の組立方法を説明する図。
【図６】別の従来の照明器具の構成を示す組立後の一部破断した側面図。
【図７】（ａ）（ｂ）は同照明器具の組立方法を説明する図。
【符号の説明】
【００３７】
１    照明器具
２    ベース部
３    灯具部
４    中間体
５    電源線
２１    下ベース
２２    上ベース
２３    雌ねじ部
２４，２５    挿通口
３１    ランプ（光源）
３２    ソケット
３３    セード
３４    セード押さえ
３５    アーム
３６    差込穴
３７    タップ孔
４１    雄ねじ部
４２    差込部
４５    溝部
６０    止めねじ
【図１】
2005183299.tif 000003
【図２】
2005183299.tif 000004
【図３】
2005183299.tif 000005
【図４】
2005183299.tif 000006
【図５】
2005183299.tif 000007
【図６】
2005183299.tif 000008
【図７】
2005183299.tif 000009